(57)【要約】【課題】コネクターに接続された電線を、間隔をおいて複数組に結束することができる結束バンドを提供する。【解決手段】第１バンド１２と、第１バンド１２の一端部に接続された第１頭部１３とを備えた第１バンド部１０と、第２バンド２２と、第２バンド２２の一端部に接続された第２頭部２３とを備え、第２頭部２３が第１バンド２２の他端部に接続されている第２バンド部２０とを具備し、第１頭部１３には第２バンド２２、第２頭部２３及び第１バンド１２が挿通可能な第１挿通穴１４が、第２頭部２３には第２バンド２２が挿通可能な第２挿通穴２４がそれぞれ形成され、第１挿通穴１４には挿通された第１バンド１２の引抜を係合溝１１との係合によってロックする第１係合爪１５が、第２挿通穴２４には挿通された第２バンド２２の引抜を係合溝２１との係合によってロックする第２係合爪２５がそれぞれ設けられている。【選択図】図１
2019199289.tif 000002
【特許請求の範囲】
【請求項１】
鋸歯状の係合溝が形成された第１バンドと、前記第１バンドの一端部に接続された第１頭部とを備えた第１バンド部と、
鋸歯状の係合溝が形成された第２バンドと、前記第２バンドの一端部に接続された第２頭部とを備え、前記第２頭部が前記第１バンドの前記第１頭部が接続されていない他端部に接続されている第２バンド部とを具備し、
前記第１頭部には、前記第２バンド、前記第２頭部及び前記第１バンドが挿通可能な第１挿通穴が形成されていると共に、前記第２頭部には、前記第２バンドが挿通可能な第２挿通穴が形成され、
前記第１挿通穴には、挿通された前記第１バンドの引抜を係合溝との係合によってロックするロック機構が設けられていると共に、前記第２挿通穴には、挿通された前記第２バンドの引抜を係合溝との係合によってロックするロック機構が設けられていることを特徴とする結束バンド。
【請求項２】
前記第１バンドの幅と前記第２頭部の幅は、同一幅に設定されていることを特徴とする請求項１記載の結束バンド。
【請求項３】
前記第２頭部には、前記第２バンドの幅から前記第１バンドの幅に逓増する傾斜部が形成されていることを特徴とする請求項２記載の結束バンド。
【請求項４】
前記第２バンドは、前記第１挿通穴のロック機構によって引抜がロックされることを特徴とする請求項１乃至３のいずれかに記載の結束バンド。
【請求項５】
鋸歯状の係合溝が形成された第３バンドと、前記第３バンドの一端部に接続された第３頭部とを備え、前記第３頭部が前記第２バンドの前記第２頭部が接続されていない他端部に接続されている第３バンド部を具備し、
前記第３頭部は、前記第１挿通穴及び前記第２挿通穴に挿通可能な幅及び高さで構成され、
前記第３頭部には、前記第３バンドが挿通可能な第３挿通穴が形成され、
前記第３挿通穴には、挿通された前記第３バンドの引抜を係合溝との係合によってロックするロック機構が設けられていることを特徴とする請求項１乃至４のいずれかに記載の結束バンド。
【請求項６】
前記第２バンドの幅と前記第３頭部の幅は、同一幅に設定されていることを特徴とする請求項５記載の結束バンド。
【請求項７】
前記第３頭部には、前記第３バンドの幅から前記第２バンドの幅に逓増する傾斜部が形成されていることを特徴とする請求項６記載の結束バンド。
【請求項８】
前記第３バンドは、前記第１挿通穴のロック機構及び前記第２挿通穴のロック機構によって引抜がロックされることを特徴とする請求項５乃至７のいずれかに記載の結束バンド。
【発明の詳細な説明】
【技術分野】
【０００１】
本発明は、電線を結束する結束バンドに関する。
【背景技術】
【０００２】
複写機、複合機、ＭＦＰ、プリンター等の画像形成装置の機内には、多くの電線が使用されている。また、多極化のコネクターも増え、多数の電線が接続可能になっている（例えば、特許文献１参照）。そして、コネクターが多極になるにつれて、コネクターのオスとメスとを嵌合する際に大きな押圧力が必要になっている。
【先行技術文献】
【特許文献】
【０００３】
【特許文献１】特開２０００−７６９３５号公報
【発明の概要】
【発明が解決しようとする課題】
【０００４】
しかしながら、コネクターの接続されている電線は、一般的に１つに束ねられているため、中央部に力を掛けることができず、十分な押圧力を作用させることが困難である。
【０００５】
本発明は、上記問題点を鑑みてなされたものであり、その目的とするところは、コネクターに接続された電線を、間隔をおいて複数組に結束することができる結束バンドを提供することを目的とする。
【課題を解決するための手段】
【０００６】
本発明の結束バンドは、鋸歯状の係合溝が形成された第１バンドと、前記第１バンドの一端部に接続された第１頭部とを備えた第１バンド部と、鋸歯状の係合溝が形成された第２バンドと、前記第２バンドの一端部に接続された第２頭部とを備え、前記第２頭部が前記第１バンドの前記第１頭部が接続されていない他端部に接続されている第２バンド部とを具備し、前記第１頭部には、前記第２バンド、前記第２頭部及び前記第１バンドが挿通可能な第１挿通穴が形成されていると共に、前記第２頭部には、前記第２バンドが挿通可能な第２挿通穴が形成され、前記第１挿通穴には、挿通された前記第１バンドの引抜を係合溝との係合によってロックするロック機構が設けられていると共に、前記第２挿通穴には、挿通された前記第２バンドの引抜を係合溝との係合によってロックするロック機構が設けられていることを特徴とする。
【発明の効果】
【０００７】
本発明によれば、第１バンドの余剰分の長さを間隔として、コネクターに接続された電線を、間隔をおいて複数組に結束することができるという効果を奏する。
【図面の簡単な説明】
【０００８】
【図１】本発明に係る結束バンドの第１の実施の形態の構成を示す図である。
【図２】図１に示す結束バンドによる電線の結束例を示す図である。
【図３】図１に示す結束バンドによるコネクタに接続された電線の結束例を示す図である。
【図４】本発明に係る結束バンドの第２の実施の形態の構成を示す図である。
【図５】図４に示す結束バンドによる電線の結束例を示す図である。
【図６】本発明に係る結束バンドの第２の実施の形態の他の構成例を示す図である。
【発明を実施するための形態】
【０００９】
以下、図を参照して本発明の実施の形態を詳細に説明する。なお、以下の実施形態において、同様の機能を示す構成には、同一の符号を付してある。
【００１０】
（第１の実施の形態）
第１の実施の形態の結束バンド１は、図１を参照すると、電線を結束する第１バンド部１０と、第１バンド部１０とは異なる電線を結束する第２バンド部２０とが樹脂成形によって一体に形成されている。
【００１１】
第１バンド部１０は、鋸歯状の係合溝１１が形成された第１バンド１２と、第１バンド１２の一端部に接続された第１頭部１３とを備えている。
【００１２】
第２バンド部２０は、鋸歯状の係合溝２１が形成された第２バンド２２と、第２バンド２２の一端部に接続された第２頭部２３とを備え、第２頭部２３が第１バンド部１０における第１バンド１２の第１頭部１３が接続されていない他端部に接続されている。そして、第２バンド２２の第２頭部２３が接続されていない他端部が解放端になっている。
【００１３】
第１バンド部１０の第１頭部１３には、第２バンド２２、第２頭部２３及び第１バンド１２が挿通可能な第１挿通穴１４が形成されている。すなわち、図１に示すように、第１挿通穴１４の幅Ｗａは、第１バンド１２の幅Ｗｂ、第２頭部２３の幅Ｗｃ及び第２バンド２２の幅Ｗｄよりも大きく、第１挿通穴１４の高さＨａは、第１バンド１２の厚さＨｂ、第２頭部２３の厚さＨｃ及び第２バンド２２の厚さＨｄよりも大きく設定されている。
【００１４】
なお、本実施の形態では、第１バンド１２の幅Ｗｂと第２頭部２３の幅Ｗｃとは、同一幅に設定されている。第１バンド１２の幅Ｗｂは、第１挿通穴１４の幅Ｗａよりも小さければ限定はないが、第１バンド１２の幅Ｗｂと第２頭部２３の幅Ｗｃとを同一幅にすることで、結束時に第１バンド１２が第１挿通穴１４内で左右にがたつくことがない。
【００１５】
第１挿通穴１４の内壁には、挿通された第１バンド１２の引抜をロックするロック機構として、第１係合爪１５が設けられている。第１係合爪１５は、揺動可能に設けられ、第２バンド２２、第２頭部２３及び第１バンド１２を挿入方向に移動させる場合、揺動によって挿入可能となる。そして、第１バンド１２を引抜方向に移動させる場合、第１係合爪１５は係合溝１１と係合して、第１バンド１２は引抜不可となる。
【００１６】
なお、本実施の形態では、第１バンド１２の係合溝１１と、第２バンド２２の係合溝２１とは、幅以外は同一の形状に形成されている。従って、第１係合爪１５は、第２バンド２２を引抜方向に移動させる場合も、係合溝２１と係合して、第２バンド２２は引抜不可となる。
【００１７】
第２バンド部２０の第２頭部２３には、第２バンド２２が挿通可能な第２挿通穴２４が形成されている。すなわち、図１に示すように、第２挿通穴２４の幅Ｗｅは、第２バンド２２の幅Ｗｂよりも大きく、第１挿通穴１４の高さＨｅは、第２バンド２２の厚さＨｄよりも大きく設定されている。
【００１８】
第２挿通穴２４の内壁には、挿通された第２バンド２２の引抜をロックするロック機構として、第２係合爪２５が設けられている。第２係合爪２５は、揺動可能に設けられ、第２バンド２２を挿入方向に移動させる場合、揺動によって挿入可能となる。そして、第２バンド２２を引抜方向に移動させる場合、第２係合爪２５は係合溝２１と係合して、第２バンド２２は引抜不可となる。
【００１９】
図２に示すように、第１バンド部１０で電線２ａを、第２バンド部２０で電線２ｂをそれぞれ結束する場合、まず、第１バンド部１０の第１頭部１３に形成された第１挿通穴１４に、第２バンド部２０（第２バンド２２、第２頭部２３）及び第１バンド１２を挿通させ、第１バンド１２で電線２ａを結束する。次に、第２バンド部２０の第２頭部２３に形成された第２挿通穴２４に、第２バンド２２を挿通させ、第２バンド２２で電線２ｂを結束する。これにより、第１バンド１２の電線２ａの結束に使用されていない余剰分の長さＬが、電線２ａと電線２ｂとの間隔となり、間隔をおいて電線２ａと電線２ｂとを結束することができる。なお、図２では、第２バンド２２の余剰部分はカットされている。
【００２０】
図３（ａ）には、７本ピンのコネクター３ａの中央に空きピンを設け、本実施の形態の結束バンド１によってコネクター３ａに接続された両側３本ずつの電線２を、間隔をおいて結束した例が示されている。これにより、第１バンド１２の余剰分の長さＬを間隔として、３本ずつの電線２が結束され、電線２が空ピンスペースに侵入することがない。従って、電線２に邪魔されることなく、コネクター３ａの中央部（空ピンスペース）に押圧を加えて、コネクター３ａを挿入することができる。
【００２１】
図３（ｂ）には、７×２本ピンのコネクター３ｂの中央に空きピンを設け、本実施の形態の結束バンド１によってコネクター３ｂに接続された両側６本ずつの電線２を、間隔をおいて結束した例が示されている。この場合も、第１バンド１２の余剰分の長さＬを間隔として、３本ずつの電線２が結束され、電線２が空ピンスペースに侵入することがない。従って、電線２に邪魔されることなく、コネクター３ｂの中央部（空ピンスペース）に押圧を加えて、コネクター３ｂを挿入することができる。
【００２２】
（第２の実施の形態）
第２の実施の形態の結束バンド１ａは、図４を参照すると、第１の実施の形態の構成に加え、第１バンド部１０及び第２バンド部２０とは異なる電線を結束する第３バンド部３０が樹脂成形によって一体に形成されている。
【００２３】
第３バンド部３０は、鋸歯状の係合溝３１が形成された第３バンド３２と、第３バンド３２の一端部に接続された第３頭部３３とを備え、第３頭部３３が第２バンド部２０における第２バンド２２の第２頭部２３が接続されていない他端部に接続されている。そして、第３バンド３２の第３頭部３３が接続されていない他端部が解放端になっている。
【００２４】
第３頭部３３は、第１バンド部１０の第１頭部１３に形成された第１挿通穴１４と、第２バンド部２０の第２頭部２３に形成された第２挿通穴２４とに、挿通可能な幅及び高さで構成されている。そして、第３頭部３３には、第３バンド３２が挿通可能な第３挿通穴３４が形成され、第３挿通穴３４の内壁には、挿通された第３バンド３２の引抜をロックするロック機構として、第３係合爪３５が設けられている。
【００２５】
なお、本実施の形態では、第１バンド１２の係合溝１１と、第２バンド２２の係合溝２１と、第３バンド３２の係合溝３１とは、幅以外は同一の形状に形成されている。従って、第１係合爪１５及び第２係合爪２５は、第３バンド３２を引抜方向に移動させる場合も、係合溝２１及び係合溝３１と係合して、第３バンド３２は引抜不可となる。
【００２６】
図５に示すように、第１バンド部１０で電線２ａを、第２バンド部２０で電線２ｂを、第３バンド部３０で電線２ｃをそれぞれ結束する場合、まず、第１バンド部１０の第１頭部１３に形成された第１挿通穴１４に、第３バンド部３０（第３バンド３２、第３頭部３３）、第２バンド部２０（第２バンド２２、第２頭部２３）及び第１バンド１２を挿通させ、第１バンド１２で電線２ａを結束する。次に、第２バンド部２０の第２頭部２３に形成された第２挿通穴２４に、第３バンド部３０（第３バンド３２、第３頭部３３）及び第２バンド２２を挿通させ、第２バンド２２で電線２ｂを結束する。次に、第３バンド部３０の第３頭部３３に形成された第３挿通穴３４に、第３バンド３２を挿通させ、第３バンド３２で電線２ｃを結束する。これにより、第１バンド１２の電線２ａの結束に使用されていない余剰分の長さＬが、電線２ａと電線２ｂとの間隔となると共に、第２バンド２２の電線２ｂの結束に使用されていない余剰分の長さＭが、電線２ｂと電線２ｃとの間隔となり、間隔をおいて電線２ａと電線２ｂと電線２ｃとを結束することができる。なお、図５では、第３バンド３２の余剰部分はカットされている。
【００２７】
また、図６に示すように、第２頭部２３には、第２バンド２２の幅から第１バンド１２の幅に逓増する傾斜部２６を、第３頭部３３には、第３バンド３２の幅から第２バンド２２の幅に逓増する傾斜部３６をそれぞれ形成しても良い。この場合、傾斜部２６によって第１挿通穴１４への第１バンド１２の挿通が案内されると共に、傾斜部３６によって第２挿通穴２４への第２バンド２２の挿通が案内される。
【００２８】
なお、第３バンド部３０の同様に、第４以降のバンド部を設けても良い。
【００２９】
以上説明したように、本実施の形態によれば、鋸歯状の係合溝１１が形成された第１バンド１２と、第１バンド１２の一端部に接続された第１頭部１３とを備えた第１バンド部１０と、鋸歯状の係合溝２１が形成された第２バンド２２と、第２バンド２２の一端部に接続された第２頭部２３とを備え、第２頭部２３が第１バンド１２の第１頭部１３が接続されていない他端部に接続されている第２バンド部２０とを具備し、第１頭部１３には、第２バンド２２、第２頭部２３及び第１バンド１２が挿通可能な第１挿通穴１４が形成されていると共に、第２頭部２３には、第２バンド２２が挿通可能な第２挿通穴２４が形成され、第１挿通穴１４には、挿通された第１バンド１２の引抜を係合溝１１との係合によってロックするロック機構として第１係合爪１５が設けられていると共に、第２挿通穴２４には、挿通された第２バンド２２の引抜を係合溝２１との係合によってロックするロック機構として第２係合爪２５が設けられている。
この構成により、第１バンド１２の余剰分の長さＬを間隔として、コネクター３ａ、３ｂに接続された電線２を、間隔をおいて２組に結束することができる。
【００３０】
さらに、本実施の形態において、第１バンド１２の幅Ｗｂと第２頭部２３の幅Ｗｃとは、同一幅に設定されている。
この構成により、結束時に第１バンド１２が第１挿通穴１４内で左右にがたつくことを防止することができる。
【００３１】
さらに、本実施の形態において、第２頭部２３には、第２バンド２２の幅から第１バンド１２の幅に逓増する傾斜部２６が形成されている。
この構成により、傾斜部２６によって第１挿通穴１４への第１バンド１２の挿通を案内することができ、挿入が容易になる。
【００３２】
さらに、本実施の形態において、第２バンド２２は、第１挿通穴１４のロック機構（第１係合爪１５）によって引抜がロックされる。
この構成により、第２バンド２２を、第１挿通穴１４のロック機構（第１係合爪１５）でもロックさせて電線２を結束することができるため、束ねる電線２の数及び太さに応じて、多様な対応が可能になる。
【００３３】
さらに、本実施の形態において、鋸歯状の係合溝３１が形成された第３バンド３２と、第３バンド３２の一端部に接続された第３頭部３３とを備え、第３頭部３３が第２バンド２２の第２頭部２３が接続されていない他端部に接続されている第３バンド部３０を具備し、第３頭部３３は、第１挿通穴１４及び第２挿通穴２４に挿通可能な幅及び高さで構成され、第３頭部３３には、第３バンド３２が挿通可能な第３挿通穴３４が形成され、第３挿通穴３４には、挿通された第３バンド３２の引抜を係合溝３１との係合によってロックするロック機構として第３係合爪３５が設けられている。
この構成により、第１バンド１２の余剰分の長さＬと、第２バンド２２の余剰分の長さＭとをそれぞれの間隔として、コネクター３ａ、３ｂに接続された電線２を、間隔をおいて３組に結束することができる。
【００３４】
さらに、本実施の形態において、前記第２バンドの幅と前記第３頭部の幅は、同一幅に設定されている。
この構成により、結束時に第２バンド２２が第２挿通穴２４内で左右にがたつくことを防止することができる。
【００３５】
さらに、本実施の形態において、第３頭部３３には、第３バンド３２の幅から第２バンド２２の幅に逓増する傾斜部３６が形成されている。
この構成により、傾斜部３６によって第２挿通穴２４への第２バンド２２の挿通を案内することができ、挿入が容易になる。
【００３６】
さらに、本実施の形態において、第３バンド３２は、第１挿通穴１４のロック機構（第１係合爪１５）及び第２挿通穴２４のロック機構（第２係合爪２５）によって引抜がロックされる。
この構成により、第３バンド３２を、第１挿通穴１４のロック機構（第１係合爪１５）もしくは第２挿通穴２４のロック機構（第２係合爪２５）でもロックさせて電線２を結束することができるため、束ねる電線２の数及び太さに応じて、多様な対応が可能になる。
【００３７】
なお、本発明が上記各実施の形態に限定されず、本発明の技術思想の範囲内において、各実施の形態は適宜変更され得ることは明らかである。また、上記構成部材の数、位置、形状等は上記実施の形態に限定されず、本発明を実施する上で好適な数、位置、形状等にすることができる。なお、各図において、同一構成要素には同一符号を付している。
【符号の説明】
【００３８】
１、１ａ  結束バンド
２、２ａ、２ｂ  電線
３ａ、３ｂ  コネクター
１０  第１バンド部
１１  係合溝
１２  第１バンド
１３  第１頭部
１４  第１挿通穴
１５  第１係合爪
２０  第２バンド部
２１  係合溝
２２  第２バンド
２３  第２頭部
２４  第２挿通穴
２５  第２係合爪
２６  傾斜部
３０  第３バンド部
３１  係合溝
３２  第３バンド
３３  第３頭部
３４  第３挿通穴
３５  第３係合爪
３６  傾斜部
【図１】
2019199289.tif 000003
【図２】
2019199289.tif 000004
【図３】
2019199289.tif 000005
【図４】
2019199289.tif 000006
【図５】
2019199289.tif 000007
【図６】
2019199289.tif 000008